(57)【特許請求の範囲】
【請求項１】
固形薬剤を収容する槽と、該槽内に水を供給するポンプとを有する薬剤溶解供給装置において、該槽の水の流入口及び薬剤水溶液の流出口をいずれも槽の下部に設け、該ポンプが停止している非通水時に常時作動され、槽内に空気を導入するブロワを設けたことを特徴とする薬剤溶解供給装置。
【請求項２】
請求項１において、前記流入口及び流出口を槽の底部と同レベルに設けたことを特徴とする薬剤溶解供給装置。
【請求項３】
請求項１又は２において、前記流入口に定流量弁を介して水が供給されることを特徴とする薬剤溶解供給装置。
【請求項４】
請求項１ないし３のいずれか１項において、前記固形薬剤が塩素系薬剤であることを特徴とする薬剤溶解供給装置。
【発明の詳細な説明】
【技術分野】
【０００１】
本発明は、固形薬剤を水に溶解させて薬剤水溶液を供給するための薬剤溶解供給装置に係り、特に塩素系薬剤の溶解供給に好適な薬剤溶解供給装置に関する。
【背景技術】
【０００２】
冷却水系、紙パルププロセス水系、集塵水系、スクラバー水系、プールなどの水系に塩素系薬剤を添加して菌類や藻類による障害を防止することが広く行われている（例えば特許文献１）。
【０００３】
従来、固形薬剤を水に溶解させて薬剤水溶液として供給するための薬剤溶解供給装置として、図２に概略的に示す上向流方式のものが用いられている。固形薬剤Ａを収容した槽１の底部の流入口１ａにポンプ２から水を供給し、この水を固形薬剤Ａと接触させる。固形薬剤が溶け込んだ水溶液は、槽１上部の流出口１ｂから流出し、水系に添加される。槽１の上部には、薬剤補充口１ｃが設けられ、蓋１ｄが水密的に装着されている。
【先行技術文献】
【特許文献】
【０００４】
【特許文献１】特開２００９−８４１６３号公報
【発明の概要】
【発明が解決しようとする課題】
【０００５】
上記従来の薬剤溶解供給装置では、槽１内の固形薬剤Ａの量が多いときには、濃度の高い水溶液が供給され、固形薬剤量が減少してくると、次第に水溶液の薬剤濃度が低下する。
【０００６】
また、上記従来の薬剤溶解供給装置において、固形薬剤が塩素系薬剤である場合、槽１内に水を供給すると、すべての固形薬剤Ａが水に濡れるので、通水停止後、すべての固形薬剤Ａの表面から塩素系薬剤と残留水分との反応生成ガスが発生することになり、塩素成分濃度の高いガスが槽１内に溜る。
【０００７】
また、蓋１ｄが補充口１ｃに水密的に装着されており、開閉しにくい。
【０００８】
本発明は、上記従来の問題点を解決し、薬剤濃度の変動が少ない薬剤水溶液を供給することができる薬剤溶解供給装置を提供することを目的とする。また、本発明は、固形薬剤が塩素系薬剤である場合、発生ガス量を少なくすることができる薬剤溶解供給装置を提供することを目的とする。
【課題を解決するための手段】
【０００９】
請求項１の薬剤溶解供給装置は、固形薬剤を収容する槽と、該槽内に水を供給するポンプとを有する薬剤溶解供給装置において、該槽の水の流入口及び薬剤水溶液の流出口をいずれも槽の下部に設け、該ポンプが停止している非通水時に常時作動され、槽内に空気を導入するブロワを設けたことを特徴とするものである。
【００１０】
請求項２の薬剤溶解供給装置は、請求項１において、前記流入口及び流出口を槽の底部と同レベルに設けたことを特徴とするものである。
【００１２】
請求項３の薬剤溶解供給装置は、請求項１又は２において、前記流入口に定流量弁を介して水が供給されることを特徴とするものである。
【００１３】
請求項４の薬剤溶解供給装置は、請求項１ないし３のいずれか１項において、前記固形薬剤が塩素系薬剤であることを特徴とするものである。
【発明の効果】
【００１４】
本発明の薬剤溶解供給装置では、水の流入口及び薬剤溶液流出口を槽の下部に設けており、固形薬剤を溶解するための水が槽の下部にのみ通水されるので、槽内の下部に存在する固形薬剤のみが水と接触する。このため、給水量を一定としておくと、ほぼ一定濃度の薬剤水溶液が供給される。
【００１５】
また、本発明の薬剤溶解供給装置では、槽の下部の固形薬剤のみが水で濡れることになるので、固形薬剤が塩素系薬剤の場合、通水停止後に発生する塩素系ガスの量が少ない。通水停止後に槽内に空気を送り込むように構成すると、固形薬剤が強制乾燥されるので、塩素系ガスの発生量がさらに減少すると共に、槽内の塩素系ガスが空気でパージされる。
【図面の簡単な説明】
【００１６】
【図１】本発明の実施の形態に係る薬剤溶解供給装置の断面図である。
【図２】従来の薬剤溶解供給装置の断面図である。
【発明を実施するための形態】
【００１７】
以下、図１を参照して実施の形態について説明する。
【００１８】
槽３は、下部の一方の側面部に水の流入口３ａを有し、他方の側面部に水の流出口３ｂを有している。この実施の形態では、流入口３ａ及び流出口３ｂは、槽３の底部と同レベルに設けられている。流入口３ａ及び流出口３ｂには、それぞれ固形薬剤Ａの流出防止用のメッシュ４が設けられている。流入口３ａには、ポンプ２からの水が定流量弁６を介して導入可能とされている。
なお、流入水が直接、固形薬剤に当たると流速によって溶解量が変わるため、流入口に邪魔板（図示略）を設けて、流入水が固形薬剤に直接当らないようにすることが好ましい。
【００１９】
槽３の上部には固形薬剤Ａの補充口３ｃが設けられ、蓋３ｄが着脱自在に装着されている。また、槽３の上部には、空気の導入口３ｅが設けられ、ブロワ５からの空気が槽３内に導入可能とされている。
【００２０】
このように構成された薬剤溶解供給装置において、薬剤水溶液を供給するときには、槽３内に粒状の固形薬剤を収容しておき、ポンプ２を作動させ、水を槽３に通水する。槽３内に導入された水は槽３内の下部の固形薬剤Ａと接触し、薬剤成分が溶け込んだ水溶液となって流出口３ｂから流出する。
【００２１】
このように、この薬剤溶解供給装置では、固形薬剤を溶解するための水を槽３の下部にのみ通水するので、槽３内の下部に存在する固形薬剤Ａのみが水と接触する。このため、定流量弁６にて給水量を一定としていることと相俟って、ほぼ一定濃度の薬剤水溶液が流出口３ｂから供給される。
【００２２】
なお、槽３の底部から槽３の高さの２〜３０％特に４〜１０％以下の固形薬剤が水と接触するような流入水量とするのが好ましい。この水量は、槽の大きさ、固形薬剤の粒径等に影響されるので、予め実験して定めておくのが好ましい。定流量弁６として、この流量を有するものを採用する。
【００２３】
この薬剤溶解供給装置では、槽３の下部の固形薬剤Ａのみが水で濡れることになるので、固形薬剤が塩素系薬剤の場合、通水停止後に発生する塩素系ガスの量が少ない。特に、この実施の形態では、流出口３ｂを槽１の底部と同レベルとしているので、槽３内の水切れがよく、固形薬剤Ａが乾き易い。
【００２４】
この実施の形態では、ポンプ２を停止して通水を停止した後にブロワ５を作動させ、槽３内に空気を送り込む。これにより濡れた固形薬剤Ａが強制乾燥されるので、塩素系ガスの発生量がさらに減少すると共に槽内の塩素系ガスが空気でパージされる。なお、槽３内に導入された空気は流出口３ｂから流出させてもよく、流出口３ｂとは別個に設けた排気口（図示略）から槽３外に排出するようにしてもよい。ブロワ５はポンプ２にて停止している非通水時に常時作動されるのが好ましい。これにより、槽３内を常にエアパージすることができる。
【００２５】
この実施の形態では、槽３の上部にまで水が達しないので、蓋３ｄは補充口３ｃに水密的に装着される必要はなく、蓋３ｄの開閉が容易である。
【００２６】
固形薬剤Ａとしては、トリクロロイソシアヌル酸などが好適であるが、これに限定されない。
【符号の説明】
【００２７】
１，３  槽
２  ポンプ
４  メッシュ
５  ブロワ
６  定流量弁
Ａ  固形薬剤
【図１】
0005870501.tif 000002
【図２】
0005870501.tif 000003